(57)【要約】【課題】本考案は、調味料などの液体を入れるボトルに取り付けて、片手で傾けて一定量の液体を計量し、取り出す器具を提供する。【解決手段】蓋部分とほぼ球体をした計量容器部分からなり、蓋部分内の空間は２本の管のみで外部と接続する。その２本の管は上の計量容器部分内に伸び、内１本の先端は計量容器部分の容積の重心で止まり、他の１本の先端はボトルを垂直にした時に重心を通る水平面と同じか又はそれより上部で止まる。計量を目的として傾けたボトル内の液体が計量容器部分内で２本の管の先端を塞ぐ位置まで来ると、液体の流出が止まる。ボトルを戻し垂直になった時点で、重心を通る水平面で液体の量が固定され一定量が計量される。そのまま逆側に傾けて計量された液体を開口部から外部に排出する。その際ボトルと蓋部分の間の部分的な仕切りにより、計量された液体のみが排出できる。【選択図】図２
0003127922.tif 000002
【実用新案登録請求の範囲】
【請求項１】
液体を入れるボトルに取り付けられる計量容器構造体であって、
該ボトルに取り付けた時に２本の管のみで外部と空間的につながる蓋部分と、
該蓋部分の上部に取り付けられ、該２本の管のみで該蓋部分と空間的につながる内部空間を持ち、計量後の液体を排出するための開口部が形成された、ほぼ球体をした計量容器部分と、
共に該計量容器部分の内部に伸びた該２本の管の内、１本の管の先端が該計量容器部分の容積の重心位置で止まり、他の１本の管の先端が、該ボトルを垂直にした時に該重心を通る水平面と同じか又はそれより上部で止まるように取り付けられた該２本の管と、を備えた計量容器構造体。
【請求項２】
前記計量容器構造体の前記蓋部分であって、前記ボトルとの境界の、前記計量容器部分に設けた開口部とは逆側にのみ部分的な仕切りを設けた、該計量容器構造体の蓋部分。
【請求項３】
前記２本の管であって、前記蓋部分内部に伸びた先が、共に前記ボトルとの境界面に設けた部分的な前記仕切りの該蓋部分内側になるように取り付けられた、２本の管。
【請求項４】
ボトルであって、
［請求項１］及び［請求項２］及び［請求項３］に記載の条件を備えたボトル。
【考案の詳細な説明】
【技術分野】
【０００１】  本考案は、液体を入れるボトルに取り付け、そのボトルを傾けることで中の液体を計量し、取り出すことが出来る、計量容器構造体に関する。
【背景技術】
【０００２】  従来、ボトルに入った液体の中から一定の量の液体を計量して取り出す際に、別個の計量用器具を使用していた。
【考案の開示】
【考案が解決しようとする課題】
【０００３】  液体の入ったボトルとは別個の計量用器具を使用すると、そのボトルと計量用器具とをそれぞれ両手に持って計量するため、計量している間は他の作業ができなかった。また、計量用器具に入れた液体が多すぎたり、少なすぎたりすることがあった。本考案は、ボトルに入った液体の計量が片手ででき、また、常に一定の量を取り出すことができるものである。
【問題を解決するための手段】
【０００４】  本考案は、液体を入れるボトルに取り付ける蓋部分と、ほぼ球体をした計量容器部分とが２本の管のみによってつながれており、その２本の管は共に該計量容器部分の内部に伸び、その内の１本の先端が該計量容器部分の容積の重心位置で止まり、他の１本の管の先端が、該ボトルを垂直にした時に該重心を通る水平面と同じか又はそれより上部で止まるように取り付けられている。このため、該ボトルを、計量を目的として傾けると、該ボトル内の液体が管を通って該計量容器部分内部に流入し、その液体が該計量容器部分内部において２本の管の先端を塞ぐ位置まで来ると、それ以上の液体の流入が止まる。その後、該ボトルを逆方向に傾けると、まず垂直に戻された時点で、該計量容器内部に入った液体が、該重心を通る水平面まで戻ったところで止まり、一定量が計量される。計量された液体は、そのまま該ボトルを傾けて、該計量容器部分に形成された開口部より外部に排出される。以上の動作を全て片手で行うことができる。
【考案の効果】
【０００５】  上述のように、計量を目的として前記ボトルを傾けた時、液体が前記２本の管の口を塞ぐ位置に来るとそれ以上液体が流入することはなく、そのまま傾けていても液体の流出は止まっているため、傾ける角度や時間を気にする必要がない。
【０００６】  前記計量容器部分に伸びた前記２本の管の内、１本の管の先端が前記計量容器部分の容積の重心位置で止まり、他の１本の管の先端が、該ボトルを垂直にした時に該重心を通る水平面と同じか又はそれより上部で止まるように取り付けられているため、該ボトルを垂直に戻した時点で、常に該計量容器の容積のほぼ二分の一が計量され、その量はそのまま変化しない。
【０００７】  計量後の液体の排出を目的として前記ボトルを計量時とは逆側に傾けると、前記計量容器内の液体が外部に排出される。この時、該ボトル内の液体が前記蓋部分に流入するが、前記ボトルとの境界の、前記計量容器部分に設けた開口部とは逆側に部分的な仕切りがあるため、該蓋部分の空気の一部が該仕切りの該蓋部分の内側に溜まる。そして、該２本の管の先端部分にこの空気が留まっている間は該ボトルから該蓋部分に入った液体が２本の管のどちらにも流入することはなく、その間に、該計量容器に入った液体のみを前記開口部より外部に排出することが出来る。更に、空気穴としての開口部を該計量容器に設けることにより液体の排出が早くできる。
【０００８】  前記計量容器部分がほぼ球体であるため、重心の位置を決め易く、また計量後の液体が外部に排出され易い。
【考案を実施するための最良の形態】
【０００９】  本考案の前記蓋部分の内部空間は、本考案を液体の入ったボトルに取り付けた際に、２本の管のみによって外部空間とつながり、その２本の管は前記計量容器の内部まで伸びる。液体を計量するために該ボトルを傾け、２本の管の先端が液体によって塞がれると、液体の流出が止まる。【００１０】前記ボトルを持った手を持ち替えることなく、その逆方向に傾けることによって、前記計量容器内に入った液体を外部に流出させるのであるが、その際、該ボトルが垂直なった時点で、該計量容器部分に入った液体の量が、計量容器の容積のほぼ二分の一になったところで止まり計量される。【００１１】  続けて前記ボトルを液体の排出のために傾けると、前記ボトルとの境界の、前記計量容器部分に設けた開口部とは逆側に部分的な仕切りがあるため、該蓋部分内部にあった空気が仕切りの内側に溜まる。この時、該蓋部分内に伸びた２本の管の先端が該仕切りの内側にあるため、該２本の管の先端部分にこの空気が留まっている間は、該ボトル内の液体は２本の管のどちらへも流入することがなく、その間に、計量容器内部の液体のみが排出される。更に、空気穴としての開口部を該計量容器に設けることにより液体の排出が早くできる。
【実施例】
【００１２】  以下、添付図面に従って使い方を説明する。図１は、液体が入ったボトルに本考案を取り付けてそのボトルを片手に持ち、計量を目的として傾けた時の図である。このとき、ボトル本体（１）内部と空間を共有する蓋部分（２）の内部は、管（４）と管（５）の２本の管のみで計量容器部分（３）の内部と空間的につながる。ボトル（１）を傾けることによって、ボトル内の液体が蓋部分（２）内部から管（５）を通り計量容器部分（３）内部に入る。と同時に、計量容器部分の空気が他の管（４）を通り、本体ボトルと空間を共有する蓋部分内部に流入する。計量容器部分内に液体が入り、（４）、（５）両方の管の口を塞ぐところまで来ると、蓋部分内部への空気の流入が止まるため液体の流出も止まり、傾けたままでいても液体はそれ以上流出しない。
図２は、排出を目的として逆側にボトルを傾ける際、ボトルが垂直になった時点の図である。管（４）の、計量容器部分（３）内に伸びた先端は、計量容器部分の容積の重心（７）で止まり、他の１本の管（５）の先端は、ボトルを垂直にした時に重心（７）を通る水平面と同じか又はそれより上部で止まっているため、計量容器部分に入った液体は計量容器部分内部の容積のほぼ二分の一の量になったところで止まる。
図３は排出を目的として本体ボトルを図１の逆方向に傾けた図である。計量容器部分（３）内に計量された液体が開口部（８）より外部に排出される。この時、ボトル（１）内の液体が蓋部分（２）内部に流入するが、ボトル（１）と蓋部分（２）との境界の、計量容器部分に設けた開口部（８）とは逆側に、部分的な仕切り（６）があるため、蓋部分（２）内部の空気の一部が仕切り（６）の蓋部分の内側に溜まる。２本の管の先端部分にこの空気が留まっている間は、この２本の管のどちらにも液体が流入することはなく、そのため計量容器部分（３）に入った液体のみを開口部（８）より外部に排出することが出来る。また小さな空気穴（９）があることにより、液体を容易に外部に排出出来る。
【図面の簡単な説明】
【００１３】
【図１】液体の入ったボトルに、本考案の計量容器構造体を取り付け、計量を目的としてボトルを傾け、液体の流出が止まった時の断面図である。
【図２】前記ボトルを計量時のほぼ逆の方向に傾ける途中の、ボトルが垂直になった時点の断面図である。この時、計量容器部分の容積のほぼ二分の一の量が計量される。
【図３】液体の排出を目的として、本体ボトルを計量時のほぼ逆の方向に傾け、計量後の液体を排出させている時の断面図である。
【符号の説明】
【００１４】  （１）液体の入ったボトル
（２）蓋部分
（３）計量容器部分
（４）前記蓋部分内部と前記計量容器部分内部の空間をつなぐ２本の管の内の１本で、その先端は該計量容器部分の内部に伸びて該計量容器部分の容積の重心位置で止まる
（５）前記２本の管の内の他の１本で、その先端は前記ボトルを垂直にした時に前記重心を通る水平面と同じか又はそれより上部で止まる
（６）前記ボトル（１）と前記蓋部分（２）との境界の、前記計量容器部分に設けた開口部とは逆側に設けた部分的な仕切り
（７）前記計量容器部分（３）の容積の重心点
（８）前記計量容器部分（３）に入った液体を外部に排出するための開口部
（９）前記計量容器部分（３）に入った液体を外部に排出するための空気穴としての開口部
【図１】
0003127922.tif 000003
【図２】
0003127922.tif 000004
【図３】
0003127922.tif 000005
【手続補正書】
【提出日】平成18年9月14日(2006.9.14)
【手続補正１】
【補正対象書類名】実用新案登録請求の範囲
【補正対象項目名】全文
【補正方法】変更
【補正の内容】
【実用新案登録請求の範囲】
【請求項１】
液体を入れるボトルに取り付けられる計量容器構造体であって、
該ボトルに取り付けた時に２本の管のみで外部と空間的につながる蓋部分と、
該蓋部分の上部に取り付けられ、該２本の管のみで該蓋部分と空間的につながる内部空間を持ち、計量後の液体を排出するための開口部が形成された、ほぼ球体をした計量容器部分と、
共に該計量容器部分の内部に伸びた該２本の管の内、１本の管の先端が該計量容器部分の容積の重心位置で止まり、他の１本の管の先端が、該ボトルを垂直にした時に該重心を通る水平面と同じか又はそれより上部で止まるように取り付けられた該２本の管と、を備えた計量容器構造体。
【請求項２】
前記蓋部分と前記ボトルとの境界部分の、前記計量容器部分に設けた前記開口部とは逆側にのみ部分的な仕切りを設けたことを特徴とする請求項１に記載の計量容器構造体。
【請求項３】
前記蓋部分内部に伸びた前記２本の管の先が、該蓋部分と前記ボトルとの境界面に設けた前記部分的な仕切りの、該蓋部分内側にあるように取り付けられたことを特徴とする請求項１に記載の計量容器構造体。